(57)【要約】　　　（修正有）【課題】容易に外れることがなく、また、横方向に並べた際にも連結することができる収納ケースを提供すること。【解決手段】上面部材１０４と下面部材１０５と間隔を空けてを連結する支持部材１０６に設けられている貫通孔１０８に嵌合する少なくとも二つの突出部２１４を横置き用連結部材本体２２１の両端から正反対の方向に延びるように形成した横置き用連結部材２２０を備えたことを特徴とする収納ケース２００を提供する。【選択図】図３
0003099947.tif 000002
【実用新案登録請求の範囲】
【請求項１】
少なくとも二つの構造部材を上下方向に重ねることにより形成される収納ケースであって、
　前記構造部材は、上面部材と、下面部材と、前記上面部材と前記下面部材とを上下方向に間隔を空けて連結する複数の支持部材と、からなり、
　複数の前記支持部材の各々には、少なくとも二つの貫通孔が上下方向に形成されており、
　前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有する縦置き用連結部材を備えることを特徴とする収納ケース。
【請求項２】
少なくとも二つの構造部材を水平方向に並べることにより形成される収納ケースであって、
　前記構造部材は、上面部材と、下面部材と、前記上面部材と前記下面部材とを上下方向に間隔を空けて連結する複数の支持部材と、からなり、
　複数の前記支持部材の各々には、少なくとも二つの貫通孔が上下方向に形成されており、
　前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有する横置き用連結部材を備えることを特徴とする収納ケース。
【請求項３】
上面部材と、下面部材と、前記上面部材と前記下面部材とを上下方向に間隔を空けて連結する複数の支持部材と、からなる構造部材を備える収納ケースであって、
　複数の前記支持部材の各々には、少なくとも二つの貫通孔が上下方向に形成されており、
　前記貫通孔に嵌合する少なくとも一つの突出部と、フックと、を有するハンガー部材を備えることを特徴とする収納ケース。
【請求項４】
前記上面部材、前記下面部材及び前記支持部材には、前記縦置き用連結部材を取り付けた際に、前記縦置き用連結部材が前記支持部材の表面よりも外側に出ないように凹部が形成されていることを特徴とする請求項１乃至３の何れか一項に記載の収納ケース。
【請求項５】
前記縦置き用連結部材は、二つの前記突出部を連結する縦置き用連結部材本体を有しており、
　前記縦置き用連結部材本体は、前記凹部に嵌合することができるようにされていることを特徴とする請求項４に記載の収納ケース。
【請求項６】
前記横置き用連結部材は、二つの前記突出部を連結する横置き用連結部材本体を有しており、
　前記横置き用連結部材本体は、前記凹部に嵌合することができるようにされていることを特徴とする請求項４に記載の収納ケース。
【請求項７】
前記ハンガー部材は、前記突出部と前記フックとを連結するハンガー部材本体を有しており、
　前記ハンガー部材本体は、前記凹部に嵌合することができるようにされていることを特徴とする請求項４に記載の収納ケース。
【請求項８】
前記突出部は、弾性部材からなる一対の相対向する凸部により形成されており、
　一対の前記凸部の対向している面とは反対側の外側面には、その先端側から前記外側面同士の間隔を徐々に広げるテーパー部と、前記テーパー部の端部において前記外側面同士の間隔を狭める段差部と、前記段差部から前記凸部の根本に向かって前記外側面同士の間隔が一定となる平行部と、が形成されており、
　前記平行部同士の間隔が、前記貫通孔の間隔以上にされていることを特徴とする請求項１乃至７の何れか一項に記載の収納ケース。
【請求項９】
上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される縦置き用連結部材であって、
　前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有することを特徴とする縦置き用連結部材。
【請求項１０】
上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される横置き用連結部材であって、
　前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有することを特徴とする横置き用連結部材。
【請求項１１】
上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用されるハンガー部材であって、
　前記貫通孔に嵌合する少なくとも一つの突出部と、フックと、を有することを特徴とするハンガー部材。
【考案の詳細な説明】
【技術分野】
【０００１】
　本考案は、収納ケースに関し、特に、複数の収納ケースを連結することができるようにした収納ケースに関する。
【背景技術】
【０００２】
　従来の収納ケース、特に、複数の収納ケースを連結することができるようにした収納ケースとしては、例えば、特開平１０−２５８８４０号公報に記載された収納ボックスがあった。
【０００３】
　図８に表されているように、特開平１０−２５８８４０号公報に記載された収納ボックス５００は、上蓋５０１の四隅において上方に直立された上コーナーピース５０２と、フロア板５０３の四隅において下方に直立された下コーナーピース５０４と、を備えており、収納ボックス５００の下コーナーピース５０４を他の収納ボックス５００の上コーナーピース５０２に嵌合させることにより、それぞれの収納ボックスを上下方向に連結することができるようにされていた。
【考案の開示】
【考案が解決しようとする課題】
【０００４】
　しかしながら、従来の収納ボックス５００では、上コーナーピース５０２と下コーナーピース５０４とを上下方向から嵌合させているだけであるため、容易に外れてしまい不便であった。
【０００５】
　また、従来の収納ボックス５００では、上下方向に収納ボックス５００を重ねる際には連結することができるが、横方向に収納ボックス５００を並べる際には連結することができなかった。
【０００６】
　そこで、本考案は、容易に外れることがなく、また、横方向に並べた際にも連結することができる収納ケースを提供することを目的とする。
【課題を解決するための手段】
【０００７】
　以上の課題を解決するため、本考案は、少なくとも二つの構造部材を上下方向に重ねることにより形成される収納ケースであって、前記構造部材は、上面部材と、下面部材と、前記上面部材と前記下面部材とを上下方向に間隔を空けて連結する複数の支持部材と、からなり、複数の前記支持部材の各々には、少なくとも二つの貫通孔が上下方向に形成されており、前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有する縦置き用連結部材を備えることを特徴とする収納ケースを提供する。
【０００８】
　このように、構造部材の支持部材に貫通孔を形成しておき、構造部材同士を上下に重ねた際に、この貫通孔に嵌合する突出部を有する縦置き用連結部材によりこれらの構造部材を連結することにより、収納ケース同士が容易に外れてしまうことがなくなる。
【０００９】
　また、本考案は、少なくとも二つの構造部材を水平方向に並べることにより形成される収納ケースであって、前記構造部材は、上面部材と、下面部材と、前記上面部材と前記下面部材とを上下方向に間隔を空けて連結する複数の支持部材と、からなり、複数の前記支持部材の各々には、少なくとも二つの貫通孔が上下方向に形成されており、前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有する横置き用連結部材を備えることを特徴とする収納ケースを提供する。
【００１０】
　このような横置き用連結部材を備えることにより、構造部材を水平方向に並べて連結することが可能であるとともに、連結した構造部材が容易に外れてしまうことがなくなる。
【００１１】
　また、本考案は、上面部材と、下面部材と、前記上面部材と前記下面部材とを上下方向に間隔を空けて連結する複数の支持部材と、からなる構造部材を備える収納ケースであって、複数の前記支持部材の各々には、少なくとも二つの貫通孔が上下方向に形成されており、前記貫通孔に嵌合する少なくとも一つの突出部と、フックと、を有するハンガー部材を備えることを特徴とする収納ケースを提供する。
【００１２】
　このようなハンガー部材を備えることにより、構造部材を対象物に引っ掛けることができるとともに、このハンガー部材が容易に外れてしまうことを防止することができる。
【００１３】
　ここで、構造部材の上面部材、下面部材及び支持部材には、縦置き用連結部材を取り付けた際に、この縦置き用連結部材が支持部材の表面よりも外側に出ないように凹部を形成しておくことで、この縦置き用連結部材が邪魔にならず、また、この縦置き用連結部材を取り付けた際の見た目もよくなる。
【００１４】
　なお、縦置き用連結部材を、二つの突出部と、これらの二つの突出部を連結する縦置き用連結部材本体と、により構成し、この縦置き用連結部材本体が、構造部材の上面部材、下面部材及び支持部材に形成された凹部に嵌合することができるようにすることで、構造部材同士をより強固に連結することができる。
【００１５】
　また、横置き用連結部材を、二つの突出部と、これらの二つの突出部を連結する横置き用連結部材本体と、により構成し、この横置き用連結部材本体が、構造部材の上面部材、下面部材及び支持部材に形成された凹部に嵌合することができるようにすることで、構造部材同士をより強固に連結することができる。
【００１６】
　さらに、ハンガー部材を、突出部と、フックと、これらの突出部とフックとを連結するハンガー部材本体と、により構成し、このハンガー部材本体が、構造部材の上面部材、下面部材及び支持部材に形成された凹部に嵌合することができるようにすることで、ハンガー部材をより強固に構造部材に固定することができるようになる。
【００１７】
　ここで、突出部については貫通孔に嵌合することができるものであれば、どのようなものであってもよいが、例えば、弾性部材からなる一対の相対向する凸部により形成し、この一対の凸部の対向している面とは反対側の外側面には、その先端側から外側面同士の間隔を徐々に広げるテーパー部と、テーパー部の端部において外側面同士の間隔を狭める段差部と、この段差部から凸部の根本に向かって外側面同士の間隔が一定となる平行部と、を形成し、この平行部同士の間隔が、貫通孔の間隔以上にしておくことで、貫通孔と突出部が隙間なく嵌合し、容易に外れることがなくなる。
【００１８】
　また、本考案は、上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される縦置き用連結部材であって、前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有することを特徴とする縦置き用連結部材を提供する。
【００１９】
　このように、本考案では、このような縦置き用連結部材単独で、生産、販売等することもできる。
【００２０】
　ここで、この突出部については、弾性部材からなる一対の相対向する凸部により形成し、一対の凸部の対向している面とは反対側の外側面には、その先端側から外側面同士の間隔を徐々に広げるテーパー部と、テーパー部の端部において外側面同士の間隔を狭める段差部と、段差部から凸部の根本に向かって外側面同士の間隔が一定となる平行部と、を形成しておき、この平行部同士の間隔が、構造部材の支持部材に形成されている貫通孔の間隔以上にしておくことが望ましい。
【００２１】
　また、本考案は、上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される横置き用連結部材であって、前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有することを特徴とする横置き用連結部材を提供する。
【００２２】
　このように、本考案では、このような横置き用連結部材単独で生産、販売等することもできる。
【００２３】
　ここで、この突出部については、弾性部材からなる一対の相対向する凸部により形成し、一対の凸部の対向している面とは反対側の外側面には、その先端側から外側面同士の間隔を徐々に広げるテーパー部と、テーパー部の端部において外側面同士の間隔を狭める段差部と、段差部から凸部の根本に向かって外側面同士の間隔が一定となる平行部と、を形成しておき、この平行部同士の間隔が、構造部材の支持部材に形成されている貫通孔の間隔以上にしておくことが望ましい。
【００２４】
　また、本考案は、上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用されるハンガー部材であって、前記貫通孔に嵌合する少なくとも一つの突出部と、フックと、を有することを特徴とするハンガー部材を提供する。
【００２５】
　このように、本考案では、このようなハンガー部材単独で生産、販売等することもできる。
【００２６】
　ここで、この突出部については、弾性部材からなる一対の相対向する凸部により形成し、一対の凸部の対向している面とは反対側の外側面には、その先端側から外側面同士の間隔を徐々に広げるテーパー部と、テーパー部の端部において外側面同士の間隔を狭める段差部と、段差部から凸部の根本に向かって外側面同士の間隔が一定となる平行部と、を形成しておき、この平行部同士の間隔が、構造部材の支持部材に形成されている貫通孔の間隔以上にしておくことが望ましい。
【考案の効果】
【００２７】
　以上のように、本考案によれば、突出部が貫通孔に嵌合しているため、容易に外れることがなく、また、横置き連結部材を備えているため、横方向に並べた際にも連結することができ、さらに、ハンガー部材を備えているため、対象物に吊り下げることができる収納ケースを提供することができる。
【考案を実施するための最良の形態】
【００２８】
　図１は、本考案の第一の実施形態に係る収納ケース１００の分解斜視図である。
【００２９】
　本実施形態に係る収納ケース１００は、構造部材１０１と、収納ケース本体１０２と、縦置き用連結部材１０３と、により構成されている。
【００３０】
　構造部材１０１は、上面部材１０４と、下面部材１０５と、支持部材１０６と、により構成されており、本実施形態においては、これらは全てポリプロピレン等の樹脂により形成されている。
【００３１】
　上面部材１０４及び下面部材１０５とは、同一形状の矩形状に形成されている。
【００３２】
　上面部材１０４及び下面部材１０５は、上下方向に間隔を空けて、四つの支持部材１０６により連結されている。
【００３３】
　支持部材１０６は、上面部材１０４及び下面部材１０５の側方における四隅に配置されており、全て柱状に形成されている。
【００３４】
　ここで、上面部材１０４、下面部材１０５及び支持部材１０６には、後述する縦置き用連結部材１０３を取り付けた際に、この縦置き用連結部材１０３が支持部材１０６の表面１０６ａよりも外側に出ないように凹部１０７が形成されている。
【００３５】
　なお、この凹部１０７の大きさ・形状については、後述する縦置き用連結部材１０３を取り付けた際に、この縦置き用連結部材１０３が支持部材１０６の表面１０６ａよりも外側に出ない範囲で適時選択することができる設計事項であるが、本実施形態においては、後述するように、縦置き用連結部材１０３を矩形状に形成しているため、この凹部１０７についても、矩形状に形成している。
【００３６】
　また、この凹部１０７には、後述する縦置き用連結部材１０３の縦置き用連結部材本体１１３を嵌め込むことができるようにすることで、確実に構造部材１０１同士を連結することができるようにしている。
【００３７】
　支持部材１０６には、構造部材１０１の側方から内側に向かって貫通孔１０８が形成されている。
【００３８】
　本実施形態においては、支持部材１０６の上下方向における中線を挟んで対称となる位置に二つの貫通孔１０８が形成されている。
【００３９】
　ここで、上面部材１０４、下面部材１０５及び支持部材１０６の大きさ・形状については、これらにより囲まれた空間内に、後述する収納ケース本体１０２を収納することができる範囲で任意に設計することができる設計事項である。
【００４０】
　収納ケース本体１０２は、底面１０９と、この底面１０９から直立する側壁１１０と、により構成されており、これらの底面１０９と側壁１１０とにより囲まれた空間内に衣料等のものを収納することができるようにされている。
【００４１】
　したがって、底面１０９及び側壁１１０の大きさ・形状については、これらにより囲まれる空間内に収納する物の大きさや形状に合わせて、適時選択される設計事項である。
【００４２】
　なお、本実施形態における収納ケース本体１０２においては、収納ケース本体１０２の前面となる側壁１１０に取っ手１１１と、前面であることを示す模様１１２と、が設けられている。
【００４３】
　また、本実施形態においては、収納ケース本体１０２についてもポリプロピレン等の樹脂により形成している。
【００４４】
　縦置き用連結部材１０３は、図２（縦置き用連結部材１０３の上方斜視図）に表されているように、縦置き用連結部材本体１１３と、突出部１１４と、補助部材１１５と、により構成されている。
【００４５】
　縦置き用連結部材本体１１３は、ポリプロピレン等の樹脂により矩形状に形成されており、その長さ方向の両端側に突出部１１４を同じ方向に延びるように設けている。
【００４６】
　そして、縦置き用連結部材本体１１３の長さＸは、図１に表されているように、構造部材１０１を上下に重ねた際に、上方の構造部材１０１の支持部材１０６に設けられている貫通孔１０８と、下方の構造部材１０１の支持部材１０６に設けられている貫通孔１０８と、の両方に突出部１１４を挿入することができる程度の長さＸとなるようにしている。
【００４７】
　なお、本実施形態では、一つの支持部材１０６に二つの貫通孔１０８が設けられているため、構造部材１０１を上下に重ねた際に、上方の構造部材１０１の支持部材１０６に設けられている下方の貫通孔１０８と、下方の構造部材１０１の支持部材１０６に設けられている上方の貫通孔１０８と、の両方に突出部１１４を挿入することができる程度の長さＸとなるようにしている。
【００４８】
　突出部１１４は、縦置き用連結部材本体１１３と連続して形成されているため、ポリプロピレン等の樹脂により形成されており、所定の弾性を有している。
【００４９】
　そして、突出部１１４は、一対の凸部１１６が相対向するように形成されており、この一対の凸部１１６の対向している面とは反対側の外側面には、凸部１１６の先端１１６ａからこの外側面同士の間隔を徐々に広げるテーパー部１１６ｂと、このテーパー部１１６ｂの端部において外側面同士の間隔を狭める段差部１１６ｃと、この段差部１１６ｃから凸部１１６の根本１１６ｅに向かって外側面同士の間隔が一定となる平行部１１６ｄと、が形成されている。
【００５０】
　したがって、突出部１１４を貫通孔１０８に挿入する場合には、一対の凸部１１６をその先端１１６ａから貫通孔１０８の間に挿入し、テーパー部１１６ｂが貫通孔１０８の位置にまで達した場合には、このテーパー部１１６ｂが貫通孔１０８に引っかかるが、この凸部１１６は弾性部材であるポリプロピレン等の樹脂により形成されているため、凸部１１６が、その間隔を狭める方向に弾性変形することにより、このテーパー部１１６ｂを貫通孔１０８の内部に挿入することができるようになる。
【００５１】
　そして、段差部１１６ｃが貫通孔１０８の位置にまで達することにより、弾性変形していた凸部１１６が、弾性力によりその間隔を広める方向に押し戻されるようになる。
【００５２】
　このようにして、貫通孔１０８の間隔と同じ間隔にされている平行部１１６ｄにまで達することにより、凸部１１６と貫通孔１０８とは嵌合するようになる。
【００５３】
　この点、貫通孔１０８の間隔と平行部１１６ｄの間隔とを同じ間隔にしておくことにより、貫通孔１０８に凸部１１６を隙間なく確実に嵌合させることができるようになり、また、テーパー部１１６ｂ及び段差部１１６ｃを設けておくことにより、凸部１１６が貫通孔１０８から容易に外れてしまうことがなくなる。
【００５４】
　なお、縦置き用連結部材１０３については、相対向している突出部１１４をこれらの間隔を狭める方向に押圧することにより、貫通孔１０８から取り外すことができる。
【００５５】
　縦置き用連結部材本体１１３には、補助部材１１５が設けられているが、この補助部材１１５は、貫通孔１０８に嵌合することで、構造部材１０１に縦置き用連結部材１０３を取り付けた状態でこの縦置き用連結部材１０３に力が加わった際に、突出部１１４が破損してしまうことを防止するために設けられたものであって、必ずしも必要とされるものではない。
【００５６】
　このように縦置き用連結部材１０３を構成することにより、図１に表されているように、構造部材１０１を上下に重ねた際に、上方の構造部材１０１の支持部材１０６に設けられている貫通孔１０８に、縦置き用連結部材本体１１３の一端側に設けられている突出部１１４を挿入し、下方の構造部材１０１の支持部材１０６に設けられている貫通孔１０８に、縦置き用連結部材本体１１３の他端側に設けられている突出部１１４を挿入することにより、縦置き用連結部材１０３により、二つの構造部材１０１を連結することができるようになる。
【００５７】
　なお、本実施形態においては、一つの構造部材１０１に四つの支持部材１０６を設けているため、縦置き用連結部材１０３についても四つ使用して二つの構造部材１０１を連結することが望ましい。
【００５８】
　以上のように、本実施形態に係る収納ケース１００を構成したので、上下に重ねた構造部材１０１を縦置き用連結部材１０３により連結することで、収納ケース１００同士を確実に連結することができるようになる。
【００５９】
　図３は、本考案の第二の実施形態に係る収納ケース２００の分解斜視図である。
【００６０】
　本実施形態に係る収納ケース２００は、構造部材１０１と、収納ケース本体１０２と、横置き用連結部材２２０と、により構成されている。
【００６１】
　ここで、構造部材１０１及び収納ケース本体１０２については、第一の実施形態と同様に形成されているため、ここでは説明を省略する。
【００６２】
　横置き用連結部材２２０は、図４（横置き用連結部材２２０の上方斜視図）に表されているように、横置き用連結部材本体２２１と、突出部２１４と、により構成されている。
【００６３】
　横置き用連結部材本体２２１は、直方体に形成されており、本実施形態においては、構造部材１０１の上面部材１０４、下面部材１０５及び支持部材１０６に凹部１０７が形成されているため、この横置き用連結部材本体２２１の厚さＹは、凹部１０７の深さの２倍以上とすることが望ましい。
【００６４】
　なお、この横置き用連結部材本体２２１については、凹部１０７に隙間なく嵌合することにより、より強固に構造部材１０１同士を連結することができるようになる。
【００６５】
　横置き用連結部材本体２２１の一端２２１ａにはこの一端２２１ａから延びるように突出部２１４が形成されており、他端２２１ｂには、一端２２１ａに設けられている突出部２１４とは正反対の方向に延びるように突出部２１４が形成されている。
【００６６】
　この突出部２１４については、第一の実施形態と同様に、一対の凸部２１６が相対向するように形成されており、この一対の凸部２１６の対向している面とは反対側の外側面には、凸部２１６の先端２１６ａからこの外側面同士の間隔を徐々に広げるテーパー部２１６ｂと、このテーパー部２１６ｂの端部において外側面同士の間隔を狭める段差部２１６ｃと、この段差部２１６ｃから凸部２１６の根本２１６ｅに向かって外側面同士の間隔が一定となる平行部２１６ｄと、が形成されており、第一の実施形態と同様に、貫通孔１０８に挿入することができるようにされている。
【００６７】
　なお、本実施形態においても、横置き用連結部材２２０はポリプロピレン等の樹脂により形成されている。
【００６８】
　本実施形態においては、以上のように構成されている横置き用連結部材２２０を有するため、二つの構造部材１０１を水平方向に並べて、対向する支持部材１０６の貫通孔１０８に横置き用連結部材２２０の突出部２１４を挿入することにより、これらの構造部材１０１を連結することで、収納ケース２００同士を連結することができるようになる。
【００６９】
　なお、横置き用連結部材２２０についても、相対向している突出部２１４をこれらの間隔を狭める方向に押圧することにより、貫通孔１０８から取り外すことができる。
【００７０】
　また、支持部材１０６に設けられている貫通孔１０８は、第一の実施形態における縦置き用連結部材１０３と本実施形態における横置き用連結部材２２０とを上下に並べて挿入することができる大きさに形成されているため、構造部材１０１は、上下に重ねて縦置き用連結部材１０３により連結するとともに、横方向に並べて横置き用連結部材２２０により連結することもできる。
【００７１】
　図５は、本考案の第三の実施形態に係る収納ケース３００の分解斜視図である。
【００７２】
　本実施形態に係る収納ケース３００は、構造部材１０１と、収納ケース本体１０２と、ハンガー部材３３０と、により構成されている。
【００７３】
　ここで、構造部材１０１及び収納ケース本体１０２については、第一の実施形態と同様に形成されているため、ここでは説明を省略する。
【００７４】
　ハンガー部材３３０は、図６（ハンガー部材３３０の上方斜視図）に表されているように、ハンガー部材本体３３１と、突出部３１４と、フック部３３２と、補助部材３３３と、により構成されている。
【００７５】
　ハンガー部材本体３３１は、構造部材１０１の上面部材１０４、下面部材１０５及び支持部材１０６に設けられている凹部１０７に隙間なく嵌め込むことができるように、矩形状に形成されている。
【００７６】
　このハンガー部材本体３３１には、少なくとも一つの突出部３１４、本実施形態においては二つの突出部３１４が同じ方向に延びるように形成されている。
【００７７】
　この突出部３１４は、第一の実施形態と同様に、一対の凸部３１６が相対向するように形成されており、この一対の凸部３１６の対向している面とは反対側の外側面には、凸部３１６の先端３１６ａからこの外側面同士の間隔を徐々に広げるテーパー部３１６ｂと、このテーパー部３１６ｂの端部において外側面同士の間隔を狭める段差部３１６ｃと、この段差部３１６ｃから凸部３１６の根本３１６ｅに向かって外側面同士の間隔が一定となる平行部３１６ｄと、が形成されており、第一の実施形態と同様に、貫通孔１０８に挿入することができるようにされている。
【００７８】
　また、本実施形態では、ハンガー部材本体３３１から突出部３１４と同じ方向に延びるように、補助部材３３３が形成されているが、この補助部材３３３は、貫通孔１０８に突出部３１４を挿入した際に、貫通孔１０８に嵌合することで、構造部材１０１にハンガー部材３３０を取り付けた状態でこのハンガー部材３３０に力が加わった際に、突出部３１４が破損してしまうことを防止するために設けられたものであって、必ずしも必要とされるものではない。
【００７９】
　なお、ハンガー部材３３０についても、相対向している突出部３１４をこれらの間隔を狭める方向に押圧することにより、貫通孔１０８から取り外すことができる。
【００８０】
　また、ハンガー部材本体３３１には、フック部３３２が形成されている。
【００８１】
　このフック部３３２は、ハンガー部材本体３３１の反対側にフック３３４を備えている。
【００８２】
　本実施形態においては、円柱状の横棒４４１（図７参照）に引っ掛けることができるように、フック３３４は、内周面３３４ａが円弧状に形成されているが、このフック３３４の形状については引っ掛ける対象によって適時変更することができる。
【００８３】
　また、このフック３３４の位置については、構造部材１０１の貫通孔１０８に突出部３１４を挿入した際に、このフック３３４が収納ケース本体１０２よりも前方であり、かつ、収納ケース本体１０２よりも上方に位置するようにすることで、このフック３３４を対象物に容易に引っ掛けることができる。
【００８４】
　なお、本実施形態では、構造部材１０１の支持部材１０６に上下に二つの貫通孔１０８を形成しているが、ここでは、上方に位置している貫通孔１０８に突出部３１４を嵌合することにより、フック３３４が収納ケース本体１０２よりも前方であり、かつ、収納ケース本体１０２よりも上方に位置するようにしている。
【００８５】
　また、本実施形態では、一つの構造部材１０１に四つの支持部材１０６が設けられているため、一つの収納ケース３００を吊すために、四つのハンガー部材３３０を用いることが望ましい。
【００８６】
　本実施形態における収納ケース３００は、以上のように構成されるハンガー部材３３０を有しているため、図７（収納ケース３００の使用状態を表す上方斜視図）に表されているように、構造部材１０１の貫通孔１０８にハンガー部材３３０の突出部３１４を嵌合させることで、ラック４４０の横棒４４１に収納ケース３００を引っ掛けて、このラック４４０に収納ケース３００を吊すことができるようになる。
【００８７】
　なお、本実施形態においては、構造部材１０１の支持部材１０６に上下に二つ形成されている貫通孔１０８の内の上方に位置している貫通孔１０８を用いて、フック部材３３０を取り付けるようしているため、下方に位置している貫通孔１０８を用いて、第一の実施形態における縦置き用連結部材１０３や、第二の実施形態における横置き用連結部材２２０により、収納ケース本体１０２を収納した他の構造部材１０１を連結することもできる。
【００８８】
　以上に記載した実施形態においては、構造部材１０１に一つの収納ケース本体１０２を収納することができるようにしているが、この数については任意に選択することができ、複数の収納ケース本体１０２を収納することができるようにしてもよい。
【００８９】
　また、以上に記載した実施形態においては、上面部材１０４と下面部材１０５をつなぐ支持部材１０６を、柱状に形成し上面部材１０４と下面部材１０５の四隅に四つ配置しているが、この形状及び数については任意に選択することができる設計事項であり、例えば、上面部材１０４と下面部材１０５との側方を一枚の板状の支持部材によりつなぐこともできる。
【００９０】
　さらに、以上に記載した実施形態においては、一つの支持部材１０６に二つの貫通孔１０８を形成したが、この数についても任意に設計することができる設計事項であるが、この貫通孔１０８の数を変更した場合でも、一つの支持部材１０６に形成されている貫通孔１０８に、縦置き用連結部材１０３の突出部１１４を二つと、横置き用連結部材２２０の突出部２１４を一つと、ハンガー部材の突出部３１４を一つと、を嵌合することができるようにすることが望ましい。
【００９１】
　また、以上に記載した実施形態においては、突出部１１４、２１４、３１４の平行部１１６ｄ、２１６ｄ、３１６ｄ同士の間隔を貫通孔１０８の間隔と同じになるように形成しているが、この平行部１１６ｄ、２１６ｄ、３１６ｄ同士の間隔を貫通孔１０８の間隔よりも大きくなるようにすることで、より強固に突出部１１４、２１４、３１４が貫通孔１０８に嵌合するようになる。
【図面の簡単な説明】
【００９２】
【図１】第一の実施形態に係る収納ケース１００の分解斜視図である。
【図２】縦置き用連結部材１０３の上方斜視図。
【図３】第二の実施形態に係る収納ケース２００の分解斜視図。
【図４】横置き用連結部材２２０の上方斜視図。
【図５】第三の実施形態に係る収納ケース３００の分解斜視図。
【図６】ハンガー部材３３０の上方斜視図。
【図７】収納ケース３００の使用状態を表す上方斜視図。
【図８】従来例を表す上面図及び正面図。
【符号の説明】
【００９３】
１００、２００、３００　収納ケース
１０１　構造部材
１０２　収納ケース本体
１０３　縦置き用連結部材
１０４　上面部材
１０５　下面部材
１０６　支持部材
１０７　凹部
１０８　貫通孔
１０９　底面
１１０　側壁
１１３　縦置き用連結部材本体
１１４、２１４、３１４　突出部
１１６、２１６、３１６　凸部
２２０　横置き用連結部材
２２１　横置き用連結部材本体
３３０　ハンガー部材
３３１　ハンガー部材本体
３３２　フック部
３３４　フック
【図１】
0003099947.tif 000003
【図２】
0003099947.tif 000004
【図３】
0003099947.tif 000005
【図４】
0003099947.tif 000006
【図５】
0003099947.tif 000007
【図６】
0003099947.tif 000008
【図７】
0003099947.tif 000009
【図８】
0003099947.tif 000010
【手続補正書】
【提出日】平成15年10月21日(2003.10.21)
【手続補正１】
【補正対象書類名】実用新案登録請求の範囲
【補正対象項目名】全文
【補正方法】変更
【補正の内容】
【実用新案登録請求の範囲】
【請求項１】
　少なくとも二つの構造部材を上下方向に重ねることにより形成される収納ケースであって、
　前記構造部材は、上面部材と、下面部材と、前記上面部材と前記下面部材とを上下方向に間隔を空けて連結する複数の支持部材と、からなり、
　複数の前記支持部材の各々には、少なくとも二つの貫通孔が上下方向に形成されており、
　前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有する縦置き用連結部材を備えることを特徴とする収納ケース。
【請求項２】
　少なくとも二つの構造部材を水平方向に並べることにより形成される収納ケースであって、
　前記構造部材は、上面部材と、下面部材と、前記上面部材と前記下面部材とを上下方向に間隔を空けて連結する複数の支持部材と、からなり、
　複数の前記支持部材の各々には、少なくとも二つの貫通孔が上下方向に形成されており、
　前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有する横置き用連結部材を備えることを特徴とする収納ケース。
【請求項３】
　上面部材と、下面部材と、前記上面部材と前記下面部材とを上下方向に間隔を空けて連結する複数の支持部材と、からなる構造部材を備える収納ケースであって、
　複数の前記支持部材の各々には、少なくとも二つの貫通孔が上下方向に形成されており、
　前記貫通孔に嵌合する少なくとも一つの突出部と、フックと、を有するハンガー部材を備えることを特徴とする収納ケース。
【請求項４】
　前記上面部材、前記下面部材及び前記支持部材には、前記縦置き用連結部材を取り付けた際に、前記縦置き用連結部材が前記支持部材の表面よりも外側に出ないように凹部が形成されていることを特徴とする請求項１乃至３の何れか一項に記載の収納ケース。
【請求項５】
　前記縦置き用連結部材は、二つの前記突出部を連結する縦置き用連結部材本体を有しており、
　前記縦置き用連結部材本体は、前記凹部に嵌合することができるようにされていることを特徴とする請求項４に記載の収納ケース。
【請求項６】
　前記横置き用連結部材は、二つの前記突出部を連結する横置き用連結部材本体を有しており、
　前記横置き用連結部材本体は、前記凹部に嵌合することができるようにされていることを特徴とする請求項４に記載の収納ケース。
【請求項７】
　前記ハンガー部材は、前記突出部と前記フックとを連結するハンガー部材本体を有しており、
　前記ハンガー部材本体は、前記凹部に嵌合することができるようにされていることを特徴とする請求項４に記載の収納ケース。
【請求項８】
　前記突出部は、弾性部材からなる一対の相対向する凸部により形成されており、
　一対の前記凸部の対向している面とは反対側の外側面には、その先端側から前記外側面同士の間隔を徐々に広げるテーパー部と、前記テーパー部の端部において前記外側面同士の間隔を狭める段差部と、前記段差部から前記凸部の根本に向かって前記外側面同士の間隔が一定となる平行部と、が形成されており、
　前記平行部同士の間隔が、前記貫通孔の間隔以上にされていることを特徴とする請求項１乃至７の何れか一項に記載の収納ケース。
【請求項９】
　上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される縦置き用連結部材であって、
　前記構造部材を上下方向に重ねた際に、上方の前記構造部材の前記支持部材に形成されている前記貫通孔のうち少なくとも一つの前記貫通孔と、下方の前記構造部材の前記支持部材に形成されている前記貫通孔のうち少なくとも一つの前記貫通孔とに外側から嵌合するように同一方向に延びる少なくとも二つの突出部を有することを特徴とする縦置き用連結部材。
【請求項１０】
　上面部材と、下面部材と、前記上面部材及び前記下面部材とを上下方向に間隔を空けて連結する複数の支持部材と、を備え、複数の前記支持部材の各々には、少なくとも二つの貫通孔が上下方向に形成されている構造部材に使用される横置き用連結部材であって、
　前記構造部材を水平方向に並べた際に、一方の前記構造部材の前記支持部材に形成されている前記貫通孔のうち少なくとも一つの前記貫通孔と、他方の前記構造部材の前記支持部材に形成されている前記貫通孔のうち少なくとも一つの前記貫通孔とに外側から嵌合するように正反対の方向に延びる少なくとも二つの前記突出部を有することを特徴とする横置き用連結部材。